(57)【要約】【課題】体が不自由な人であっても、自分で肛門の周囲の清浄処理ができる衛生用具を提供する。【解決手段】手袋の指の付け根付近を包む部分である基袋部を構成し、少なくとも人差し指と中指に対応した指袋を前記基袋部から延設する。当該２本の指袋の掌側に、弾性材を掌から指先に突出した長さに渡って挿通し、当該２枚の弾性材の前記突出部に、膨潤体を掌側に膨らんだ状態で取り付け、前記人差し指と中指に挿通された弾性材の間で先端部から手の甲側に突出したペーパー留めを設けた構成とした衛生用具である。前記膨潤体に被ったトイレットペーパーを肛門の付近に接触させることができ、肛門の周囲を人手を借りずに清潔に保つ処理をすることができる。【選択図】図２
2020011046.tif 000002
【特許請求の範囲】
【請求項１】
掌と甲の指の付け根付近を包む基袋部と、
少なくとも人差し指と中指に対応し、前記基袋部から延設された指袋と、
前記人差し指と中指に対応する指袋の掌側に、掌から指先に突出した長さに渡って挿通された弾性材と、
前記弾性材の前記突出部に掌側に膨らんだ状態で取り付けられた膨潤体と、
前記人差し指と中指に挿通された弾性材の間から手の甲側に突出したペーパー止めと、
を備えたことを特徴とする衛生用具。
【請求項２】
掌側に、前記ペーパー止に一端を係止された掌側にまわされたトイレットペーパーの他端を係止するクリップを設けた、請求項１に記載の衛生用具。
【請求項３】
前記膨潤体が網状体の先端に固定され、前記ペーパー止めがラッチ機構を介して筒体に挿抜可能に構成された、請求項１に記載の衛生用具。
【発明の詳細な説明】
【技術分野】
【０００１】
本発明は身体を清浄に保つ用具に関し、特に用便後の肛門付近を清浄にする衛生用具に関するものである。
【背景技術】
【０００２】
ウォッシュレットの便器が普及している今日であっても、前記用便後に肛門付近をトイレットペーパーで拭いて清浄にすることがなされている。一方、本人が全く手を煩わすことなく大便を処理できる用具がたとえば特表2018-503497に開示されている。
【先行技術文献】
【特許文献】
【０００３】
【特許文献１】特表2018-503497号公報
【発明の概要】
【発明が解決しようとする課題】
【０００４】
体が不自由な人、例えば、老人、太った人、身体障害者等が、用便後に肛門の近辺を清浄にする処理をしようとしても、手が肛門付近にまで届かないことがあり、処理が困難な場合がある。ただし、若干の手助けがあれば、前記特表2018-503497号に開示されるように全く手を煩わすことがないような用具を使用する必要がない場合がある。
【０００５】
加えて、近年女性の間でネールアートを施すことが流行している。この場合、たとえ後で手を洗うにしても手をできるだけ不潔な状態から隔離したいという意識が働くことになる。この意識は、ネールアートを施していなくても潔癖な人には働く意識である。
【０００６】
本発明は上記従来の事情に鑑みて提案されたものであって、体が不自由な人であっても、自分で肛門の周囲の清浄処理ができ、また健全な人であっても手を不潔な環境に曝すことなく肛門の周囲の清浄処理ができる衛生用具を提供することを目的とする。
【課題を解決するための手段】
【０００７】
手袋の指の付け根付近を包む部分である基袋部を構成し、少なくとも人差し指と中指に対応した指袋を前記基袋部から延設する。当該２本の指袋の掌側に、弾性材を掌から指先に突出した長さに渡って挿通し、当該弾性材の前記突出部に、膨潤体を掌側に膨らんだ状態で取り付け、前記人差し指と中指に挿通された弾性材の間で先端部から手の甲側に突出したペーパー留めを設けた構成とした衛生用具である。
【発明の効果】
【０００８】
前記ペーパー留めを利用して所定長さのトイレットペーパーを止め、当該トイレットペーパーを前記膨潤体に被せ、人差し指と中指で内側に曲げることによって、前記膨潤体に被ったトイレットペーパーを肛門の付近に接触させることができ、肛門の周囲を人手を借りずに清潔に保つ処理をすることができる。また、各指袋は、差し込んだ指の先端部が露出する構成することによって、体が不自由な人が前記処理をし易くなり、また、差し込んだ指の先端部も覆うことによって、清潔感を持って前記処理をすることができる。
【図面の簡単な説明】
【０００９】
【図１】本発明の掌側から見た平面図。
【図２】本発明の掌側から見た斜視図。
【図３】本発明にトイレットペーパーを装着する手順を示す図。
【図４】本発明にトイレットペーパーを装着する手順を示す図。
【図５】本発明の別の実施態様の甲側から見た平面図を示す図。
【図６】図５の実施形態のトイレットペーパー装着状態を示す平面図を示す図。
【図７】図５の実施形態の掌側から見た平面図を示す図。
【図８】図７の実施耐用の詳細図。
【図９】図７の更に詳しい内部図。
【図１０】本発明の掌側から見た別の実施態様を示す図。
【図１１】図１０の実施態様の甲側から見た図。
【図１２】図１０のトイレットペーパーを装着する手順を示す図。
【発明を実施するための形態】
【００１０】
＜実施例１＞
図１は本発明に係る衛生用具の左手の掌側から見た平面図、図２は本発明に係る衛生用具の斜視図である。
【００１１】
手袋の指の付け根部から手首側に掌と甲の三分の一程度の大きさの基袋部１１に対して、親指を除く４本に指が挿通できる指穴１２ａ、１２ｂ、１２ｃ、１２ｄが設けられる。この内人差し指と中指については、前記指穴１２ａ、１２ｂに連通する指袋１３ａ、１３ｂが形成される。当該人差し指と中指の、指袋１３ａ、１３ｂには、当該指袋１３ａ、１３ｂの長さ方向に渡って板状弾性材１４ａ、１４ｂが、掌側に位置するように固定されている。尚、当該板状弾性材１４ａ、１４ｂは、以下の操作に当たって皮膚に直接触れないように、柔らかい素材で被覆しておくのがよい。また、前記板状弾性材１４ａ、１４ｂは、前記指袋１３ａ、１３ｂ内に挿通してもよいし、また、前記指袋１３ａ、１３ｂの外側の掌側に貼り付けてもよい。図１では、スポンジ状の緩衝材１７で保護した前記指袋１３ａ、１３ｂを補強シート１８で人差し指と中指の、指袋１３ａ、１３ｂ上に貼り付けている。
【００１２】
この板状弾性材１４ａ、１４ｂは、指袋１３ａ、１３ｂの先端に指より長い位置にまで突出しており、その先端の突出部には前記両方の板状弾性材１４ａ、１４ｂに跨って肌に触れて硬く感じない程度の柔らかさ（例えば、エラストマーで成型された）で、掌側に膨らんだ膨潤体１５が設けられる。また、図２に示すように、前記板状弾性材１４ａ、１４ｂの先端の間には甲側に突出するピン状のペーパー止め１６が設けられる。
【００１３】
図３、４は、上記構成の衛生用具の使用方法を示すものである。
【００１４】
まず、図３に示すように所定長さのトイレットペーパー２１の一端を前記ペーパー止め１６に突き刺して固定する。次いで、図４に示すように前記トイレットペーパー２１の他端を掌側に回して、前記膨潤体１５を覆うようにする。この状態で当該衛生用具を手に嵌める。このとき、親指は前記基袋部１１の外に出ているので、トイレットペーパー２１の他端を押さえることになり、当該トイレットペーパー２１を安定させることができる。また、人差し指、中指の掌側は板状弾性材１４ａ、１４ｂに前記緩衝材１７を介して触れており、人差し指、中指を掌側に曲げると、トイレットペーパー２１を操作することができることになり、また、前記人差し指、中指の曲げる力を緩めると、元の状態に戻ることになる。
【００１５】
前記トイレットペーパー２１を装着した状態で、当該衛生用具を手にはめ、用便が終わった状態で前記の操作をすることによって、肛門の周囲にトイレットペーパー２１を触れさせることができ、肛門の周囲を清浄にすることができる。
【００１６】
尚、人差し指と中指のみに指袋をつけるようにしたが、薬指、小指にも付けてもかまわないことは勿論である。
＜実施例２＞
上記の実施例は、体の不自由な人が使用し易いように、前記基袋部１１を嵌めた状態で、人差し指や中指の先端部、薬指、小指全体が指袋よりはみ出して露出するようにして、指の動きが清浄処理にスムーズに伝達される構成になっている。しかしながら、健常者であっても清潔感覚の強い人は、できるだけ露出部分が少ない状態で肛門の周囲を処理したいという要望がある。
【００１７】
図１０は上記の要望を満たす実施例の掌側から見た状態を示すものであり、図１１は手の甲側から見た状態を示すものである。
【００１８】
前記基袋部１１に対して、人指し指から小指に対応する指穴１２ａ〜１２ｄは、指先が露出しないように指袋１３ａ〜１３ｄが設けられる。当該人差し指と中指の、指袋１３ａ、１３ｂには、当該指袋１３ａ、１３ｂの長さ方向および幅方向に渡って、柔らかい緩衝材１７で被覆された、板状弾性材１４が、掌側に位置するように固定されている。
【００１９】
この板状弾性材１４は、指袋１３ａ、１３ｂの先端位置より先の位置まで突出しており、その先端部には前記板状弾性材１４の掌側に膨らんだ膨潤体１５が設けられる。更に、図２と同様に、前記板状弾性材１４の先端の中央には甲側に突出するピン状のペーパー止め１６が設けられる。
【００２０】
更に、基袋部１１の人指し指と中指に対応する位置の掌側（前記板状弾性材１４の基端部）には親指の第二関節より先端側の指袋１３ｅが先端の動きを自在にして取り付けられる。
【００２１】
この構成の衛星具の使用時には、図１２に示すように、実施例１で説明した場合と同様に、トイレットペーパー２１を手の甲側から掌側に回して、前記膨潤体１５を覆うように取り付ける点は全く同じである。この状態で当該衛生用具を手に嵌めるのであるが、このとき、親指は指袋１４ｅに嵌め込んでおく。前記指袋１４ｅに嵌め込んだ親指は、当該親指の第二関節のより先端の動きに対応して自由に動くので、前記実施例１の場合と同様、トイレットペーパー２１の他端を押さえることができ、当該トイレットペーパー２１を安定させることができトイレットペーパー２１を安定させることができる。
【００２２】
当該実施例２の衛星具では、全く手を汚すおそれがなく、肛門の周囲を清浄にすることができ、健常者であって、指先を汚したくないという意識の持ち主であっても使用することが可能となる。
【００２３】
尚、上記実施例１、２で弾性材として板状弾性材を使用したが、特に板状にこだわるものであなく、線状であってもかまわない。
＜実施例３＞
図５は、本発明の別の実施耐用を示す図（左手甲側）である。
【００２４】
図４に示すように、トイレットペーパーの先端がペーパー止め１６で固定されることになるが、この先端の止めが外れる虞れがある。そこで、図５、図６に示すように前記ペーパー止め１６の先端に抜け止め３１が嵌められる。
【００２５】
当該抜け止め３１は、前記ピン状のペーパー止め１６の先端に嵌り込む穴３１１を備えており、ペーパー止め１６に、紐等３１２で結ばれている。前記トイレットペーパーの先端がペーパー止め１６で固定されると、図６に示すようにペーパー止め１６の先端に抜け止め３１の穴３１１が嵌められる。
【００２６】
また、トイレットペーパー２１の先端が前記ペーパー止め１６で止められ、掌側に回されることになるが、そのトイレットペーパー２１の後端は、親指で抑えない限り位置が固定しないことになる。そこで、図６に示すように前記掌側に回されたトイレットペーパー２１の後端に対応する位置にクリップ１９が取り付けられ、前記後端が当該クリップ１９で固定される。
【００２７】
使用者は、前記図６に示すように、ペーパー止め１６でトイレットペーパー２１の先端を止め、掌側に回して、図７に示すように、後端を前記クリップ１７で止めてから、手に装着する。これによって親指でトイレットペーパー２１の後端を挟まなくても、トイレットペーパー２１は安定することになる。
＜実施例４＞
上記の２例は手袋タイプであるが、図８、図９は手袋を用いないタイプの実施の形態を示すものである。
【００２８】
棒状体４１の先端に、前記膨潤体１５が取り付けられる。当該棒状体４１の内部に、あるいは棒状体41とは別の筒体４２の内部に、ボールペンのラッチ機構４３を組み込み、その先端に、前記ラッチ機構の動作に対応して、前記ペーパー止め４６が先端の突き出し口４５から出入りする構成とする。
【００２９】
図９は、前記ラッチ機構４３とペーパー止め１６との関係を示す図である。
【００３０】
筒体４２の内部の後端にプッシュボタン４３１が設けられ、前記ラッチ機構４３を介してプッシュボタン４３１に連動した芯４３２が、軸方向に設けられる。前記筒体４２の空洞は先端が手の甲方向に湾曲した形状になっており。前記芯４３２の先端部に接続した可撓性芯４３３を介して前記ペーパー留め１６が接続される。この構成で、前記ペーパー留め１６は初期状態では前記湾曲した空洞に収まっているが、プッシュボタン４３１を一回押すと、ラッチ機構４３を介して、前記可撓性芯４３３は前記ペーパー留め１６を押し出し、プッシュボタン４３１をもう一回押すと、ラッチ機構４３を介して、前記可撓性芯４３３は前記ペーパー留め１６を引き戻す構造になっている。すなわち、前記空洞の湾曲部を前記可撓性芯４３３が挿抜されることになる。
【００３１】
上記構成によると、プッシュボタン４３１を押すことによって、トイレットペーパー２１を簡単に装着することができる。逆に、プッシュボタン４３１を更に押すことによって、トイレットペーパー２１を外すことが可能となり、トイレットペーパー２１の装着が簡単となる。
【産業上の利用可能性】
【００３２】
以上説明したように、本発明は著しく太った人、手の動作に多少の支障がある人でも、他人の手を借りずに、肛門の周辺をトイレットペーパーでなぞることができるので、排便後の処理ができることになる。また、健常者であって、手を汚したくない人であっても清潔感を保持することができる。
【符号の説明】
【００３３】
１１・・基袋部
１２ａ、１２ｂ、１２ｃ、１２ｄ・・指穴
１３ａ、１３ｂ、１３ｃ、１３ｄ、１３ｅ・・指袋
１４、１４ａ、１４ｂ・・弾性材
１５・・膨潤体
１６・・ペーパー止め
１７・・クリップ
２１・・トイレットペーパー
３１・・抜け止め
４１・・棒状体
４２・・筒体
４３・・ラッチ機構
４３１・・プッシュボタン
４３２・・芯可撓性芯
４３３・・可撓性芯
【図１】
2020011046.tif 000003
【図２】
2020011046.tif 000004
【図３】
2020011046.tif 000005
【図４】
2020011046.tif 000006
【図５】
2020011046.tif 000007
【図６】
2020011046.tif 000008
【図７】
2020011046.tif 000009
【図８】
2020011046.tif 000010
【図９】
2020011046.tif 000011
【図１０】
2020011046.tif 000012
【図１１】
2020011046.tif 000013
【図１２】
2020011046.tif 000014